(57)【要約】【課題】電動モータ６で進退駆動される弁軸３に、水入口２１に連通する弁孔２５ａを形成した第１弁座２５に対向する第１弁体４と、湯入口２２に連通する弁孔２６ａを形成した第２弁座２６に対向する第２弁体５とを摺動自在に外挿し、両弁体４，５間に、第１弁体４を弁軸３上の第１ストッパ３１で規制される位置に付勢すると共に第２弁体５を弁軸３上の第２ストッパ３２で規制される位置に付勢する弁バネ７を介設した湯水混合弁において、停電時に高温の湯が出湯されることを防止する。【解決手段】第１弁体４に対向する押圧子８と、押圧子８を軸方向に進退する電磁ソレノイド９とを備える。電磁ソレノイド９への通電停止時に、押圧子８が第１弁体４に当接する方向に移動し、第１弁体４を第１弁座２５に着座させる位置に弁軸３が存していても、第１弁体４が弁バネ７の付勢力に抗して押動されて第１弁座２５から離隔するように構成する。【選択図】図２
2018040480.tif 000002
【特許請求の範囲】
【請求項１】
水入口と、湯入口と、水入口と湯入口との間の弁室と、弁室に連通する出湯口と、水入口に連通する弁孔が形成された弁室の軸方向一方の端部に位置する第１弁座と、湯入口に連通する弁孔が形成された弁室の軸方向他方の端部に位置する第２弁座とを有する弁筐と、弁筐内に軸方向に進退自在に設けられた弁軸と、弁室内に弁軸に摺動自在に外挿させた状態で設けられた、第１弁座に対向する第１弁体及び第２弁座に対向する第２弁体と、弁軸を進退駆動する電動モータとを備える湯水混合弁であって、弁軸に、第１弁体の弁軸に対する軸方向一方への移動を所定の第１位置で規制する第１ストッパと、第２弁体の弁軸に対する軸方向他方への移動を所定の第２位置で規制する第２ストッパとが設けられ、第１と第２の両弁体間に第１弁体と第２弁体を夫々第１位置と第２位置に付勢する弁バネが介設され、第１位置と第２位置は、弁軸の位置が軸方向所定範囲内に存するときに、第１位置に存する第１弁体と第２位置に存する第２弁体が夫々第１弁座と第２弁座から離隔するように設定されるものにおいて、
第１弁体の軸方向一方の端部に対向する押圧子と、押圧子を軸方向に進退する電磁ソレノイドとを備え、電磁ソレノイドは、通電時に、押圧子を第１弁体から離隔する方向である軸方向一方に移動させ、通電停止時に、押圧子を第１弁体に接近する方向である軸方向他方に移動させるように構成され、第１弁体を第１弁座に着座させる位置に弁軸が存していても押圧子の軸方向他方への移動で第１弁体が弁バネの付勢力に抗して押動されて第１弁座から離隔することを特徴とする湯水混合弁。
【発明の詳細な説明】
【技術分野】
【０００１】
本発明は、貯湯タンク等の給湯源から供給される高温の湯と水とを混合して設定湯温の温水を出湯させるために用いる湯水混合弁に関する。
【背景技術】
【０００２】
従来、この種の湯水混合弁として、水入口と、湯入口と、水入口と湯入口との間の弁室と、弁室に連通する出湯口と、水入口に連通する弁孔が形成された弁室の軸方向一方の端部に位置する第１弁座と、湯入口に連通する弁孔が形成された弁室の軸方向他方の端部に位置する第２弁座とを有する弁筐と、弁筐内に弁室の軸方向に進退自在に設けられた弁軸と、弁室内に弁軸に摺動自在に外挿させた状態で設けられた、第１弁座に対向する第１弁体及び第２弁座に対向する第２弁体と、弁軸を進退駆動する電動モータとを備えるものが知られている（例えば、特許文献１参照）。
【０００３】
このものでは、弁軸に、第１弁体の弁軸に対する軸方向一方への移動を所定の第１位置で規制する第１ストッパと、第２弁体の弁軸に対する軸方向他方への移動を所定の第２位置で規制する第２ストッパとが設けられ、第１と第２の両弁体間に第１弁体と第２弁体を夫々第１位置と第２位置に付勢するバネが介設されている。そして、第１位置と第２位置は、弁軸が軸方向所定範囲内に存するときに、第１位置に存する第１弁体と第２位置に存する第２弁体が夫々第１弁座と第２弁座から離隔するように設定され、弁軸をこの所定範囲内で進退させることにより、水入口からの水と湯入口からの湯の混合割合が調節される。
【０００４】
ところで、第１弁体を第１弁座に着座させると、弁室への水入口からの水の流入が停止され、湯入口からの高温の湯がそのまま出湯口から出湯されることになる。そして、この状態で停電すると、設定湯温を下げる操作を行っても、電動モータで弁軸を進退駆動できないため、高温の湯が出湯されてしまう。
【先行技術文献】
【特許文献】
【０００５】
【特許文献１】特開２０１０−３８３３６号公報
【発明の概要】
【発明が解決しようとする課題】
【０００６】
本発明は、以上の点に鑑み、停電時に高温の湯が出湯されることを防止できるようにした湯水混合弁を提供することをその課題としている。
【課題を解決するための手段】
【０００７】
上記課題を解決するために、本発明は、水入口と、湯入口と、水入口と湯入口との間の弁室と、弁室に連通する出湯口と、水入口に連通する弁孔が形成された弁室の軸方向一方の端部に位置する第１弁座と、湯入口に連通する弁孔が形成された弁室の軸方向他方の端部に位置する第２弁座とを有する弁筐と、弁筐内に弁室の軸方向に進退自在に設けられた弁軸と、弁室内に弁軸に摺動自在に外挿させた状態で設けられた、第１弁座に対向する第１弁体及び第２弁座に対向する第２弁体と、弁軸を進退駆動する電動モータとを備える湯水混合弁であって、弁軸に、第１弁体の弁軸に対する軸方向一方への移動を所定の第１位置で規制する第１ストッパと、第２弁体の弁軸に対する軸方向他方への移動を所定の第２位置で規制する第２ストッパとが設けられ、第１と第２の両弁体間に第１弁体と第２弁体を夫々第１位置と第２位置に付勢する弁バネが介設され、第１位置と第２位置は、弁軸の位置が軸方向所定範囲内に存するときに、第１位置に存する第１弁体と第２位置に存する第２弁体が夫々第１弁座と第２弁座から離隔するように設定されるものにおいて、第１弁体の軸方向一方の端部に対向する押圧子と、押圧子を軸方向に進退する電磁ソレノイドとを備え、電磁ソレノイドは、通電時に、押圧子を第１弁体から離隔する方向である軸方向一方に移動させ、通電停止時に、押圧子を第１弁体に接近する方向である軸方向他方に移動させるように構成され、第１弁体を第１弁座に着座させる位置に弁軸が存していても押圧子の軸方向他方への移動で第１弁体が弁バネの付勢力に抗して押動されて第１弁座から離隔することを特徴とする。
【０００８】
本発明によれば、停電時は、電磁ソレノイドへの通電が停止されるため、第１弁体を第１弁座に着座させる位置に弁軸が存していても、押圧子の軸方向他方への移動で第１弁体が第１弁座から離隔する。従って、停電時に湯入口からの高温の湯がそのまま出湯口から出湯されることを防止できる。
【図面の簡単な説明】
【０００９】
【図１】本発明の実施形態の湯水混合弁の断面図。
【図２】（ａ）実施形態の湯水混合弁の弁軸を軸方向一方のストローク端位置まで移動させた状態の断面図、（ｂ）実施形態の湯水混合弁の電磁ソレノイドへの通電を停止させた状態の断面図。
【発明を実施するための形態】
【００１０】
図１を参照して、本発明の実施形態の湯水混合弁１は、水が供給される水入口２１と、貯湯タンク等の給湯源から高温の湯が供給される湯入口２２と、水入口２１と湯入口２２との間の弁室２３と、弁室２３に連通する出湯口２４と、水入口２１に連通する弁孔２５ａが形成された弁室２３の軸方向一方の端部（下端部）に位置する第１弁座２５と、湯入口２２に連通する弁孔２６ａが形成された弁室２３の軸方向他方の端部（上端部）に位置する第２弁座２６とを有する弁筐２を備えている。
【００１１】
湯水混合弁１は、更に、弁筐２内に軸方向（上下方向）に進退自在に設けられた弁軸３と、弁室２３内に弁軸３に摺動自在に外挿させた状態で設けられた、第１弁座２５に対向する第１弁体４及び第２弁座２６に対向する第２弁体５と、弁軸３を進退駆動する電動モータ６とを備えている。電動モータ６は図示省略した送りネジ機構を内蔵しており、電動モータ６の正逆転で送りネジ機構を介して弁軸３が軸方向に進退する。また、第１と第２の各弁体４，５には、第１と第２の各弁座２５，２６に弁孔２５ａ，２６ａを閉塞するようにして着座するシールリング４ａ，５ａが取付けられている。
【００１２】
弁軸３には、第１弁体４の弁軸３に対する軸方向一方（下方）への移動を所定の第１位置で規制するスナップリングから成る第１ストッパ３１と、第２弁体５の弁軸３に対する軸方向他方（上方）への移動を所定の第２位置で規制するスナップリングから成る第２ストッパ３２とが設けられている。ここで、第１位置と第２位置は、弁軸３の位置が軸方向所定範囲内に存するときに、第１位置に存する第１弁体４と第２位置に存する第２弁体５が夫々第１弁座２５と第２弁座２６から離隔するように設定されており、弁軸３をこの所定範囲内で進退させることにより、水入口２１からの水と湯入口２２からの湯の混合割合が調節される。そして、出湯口２４から出湯される湯温を検出して、この湯温が設定湯温になるように電動モータ６により弁軸３を進退駆動する。
【００１３】
また、第１と第２の両弁体４，５間には、第１弁体４と第２弁体５を夫々第１位置と第２位置に付勢する弁バネ７が介設されている。そのため、第１位置に存する第１弁体４を弁軸３の軸方向一方（下方）への移動で第１弁座２５に着座させてから更に弁軸３を軸方向一方に移動させると、図２（ａ）に示す如く、第１弁体４が弁軸３に対し第１位置から弁バネ７を圧縮しつつ移動し、弁バネ７の圧縮反力で第１弁座２５に第１弁体４が圧接して、水に対するシール性を確保できる。同様に、第２位置に存する第２弁体５を弁軸３の軸方向他方（上方）への移動で第２弁座２６に着座させてから更に弁軸３を軸方向他方に移動させると、第２弁体５が弁軸３に対し第２位置から弁バネ７を圧縮しつつ移動し、弁バネ７の圧縮反力で第２弁座２６に第２弁体５が圧接して、湯に対するシール性を確保できる。
【００１４】
ところで、図２（ａ）に示す状態では、弁室２３への水入口２１からの水の流入が停止され、湯入口２２からの高温の湯がそのまま出湯口２４から出湯されることになる。そして、この状態で停電すると、設定湯温を下げる操作を行っても、電動モータ６で弁軸３を進退駆動できないため、高温の湯が出湯されてしまう。
【００１５】
そこで、本実施形態では、第１弁体４の軸方向一方の端部（下端部）に対向する押圧子８と、押圧子８を軸方向に進退する電磁ソレノイド９とを設けている。電磁ソレノイド９は、コイル９１と、コイル９１を巻回したボビン９２と、ボビン９２に内挿したガイド筒９３と、ガイド筒９３内に摺動自在に挿入した可動鉄心９４と、ガイド筒９３内の下端部に可動鉄心９４に対向するように配置した固定鉄心９５とを備えており、可動鉄心９４に押圧子８が連結されている。押圧子８は、付勢手段たるバネ８１で第１弁体４に接近する方向である軸方向他方（上方）に付勢されている。そして、電磁ソレノイド９（コイル９１）への通電時は、可動鉄心９４が固定鉄心９５に吸着されて、図１、図２（ａ）に示す如く、押圧子８が第１弁体４から離隔する方向である軸方向一方（下方）に移動する。一方、電磁ソレノイド９への通電停止時には、固定鉄心９５による可動鉄心９４の吸着が解除されて、押圧子８がバネ８１の付勢力で軸方向他方（上方）に移動する。そして、第１弁体４を第１弁座２５に着座させる位置に弁軸３が存していても、図２（ｂ）に示す如く、押圧子８の軸方向他方への移動で第１弁体４が弁バネ７の付勢力に抗して押動されて第１弁座２５から離隔するようにしている。
【００１６】
これによれば、第１弁体４を第１弁座２５に着座させる位置に弁軸３が存している状態で停電したとき、押圧子８が軸方向他方（上方）に移動して、第１弁体４が第１弁座２５から離隔する。そのため、水入口２１から第１弁座２５の弁孔２５ａを介して弁室２３に水が流入し、湯入口２２からの高温の湯がそのまま出湯口２４から出湯されることを防止でき、安全である。
【００１７】
以上、本発明の実施形態について図面を参照して説明したが、本発明はこれに限定されるものではなく、本発明の趣旨を逸脱しない範囲で種々変更して実施することができる。例えば、上記実施形態では、押圧子８をバネ８１で軸方向他方に付勢しているが、バネ以外の付勢手段で押圧子８を軸方向他方に付勢することも可能である。
【符号の説明】
【００１８】
１…湯水混合弁、２…弁筐、２１…水入口、２２…湯入口、２３…弁室、２４…出湯口、２５…第１弁座、２６…第２弁座、２５ａ，２６ａ…弁孔、３…弁軸、３１…第１ストッパ、３２…第２ストッパ、４…第１弁体、５…第２弁体、６…電動モータ、７…弁バネ、８…押圧子、９…電磁ソレノイド。
【図１】
2018040480.tif 000003
【図２】
2018040480.tif 000004